(57)【要約】【課題】  倒れた場合に生じ得る不具合を防止することができる薬剤揮散器を提供する。【解決手段】  薬剤揮散器１を揮散器本体１１と詰替容器１２で構成する。揮散器本体１１の起立部２１の前面２５に、詰替容器１２内の薬剤を揮散する為の外スリット２７と大径開口部２８とを開設する。起立部２１の取付穴２９にカバー４１の脚部４５を固定し、カバー４１によって大径開口部２８が設けられた前面２５より突出した突出部を構成する。前記カバー４１で大径開口部２８を覆い、カバー４１と前面２５との間に間隙５１を形成する。【選択図】        図１
2007006959.tif 000002
【特許請求の範囲】
【請求項１】
薬剤を揮散する開口部が本体の外側面に設けられた薬剤揮散器において、
前記開口部が設けられた前記外側面に、当該外側面より突出する突出部を設けたことを特徴とする薬剤揮散器。
【請求項２】
前記本体に前記開口部の少なくとも一部を覆うカバーを設け、該カバーで前記突出部を構成するとともに、前記カバーを前記本体の前記外側面より離間して配置し、前記カバーと前記外側面との間に間隙を確保したことを特徴とした請求項１記載の薬剤揮散器。
【発明の詳細な説明】
【技術分野】
【０００１】
本発明は、芳香剤等の薬剤を揮散する薬剤揮散器に関する。
【背景技術】
【０００２】
従来、消臭剤、芳香剤、防虫剤、殺虫剤等の薬剤を揮散する装置として薬剤揮散器が知られている（例えば、特許文献１及び特許文献２）。
【０００３】
この薬剤揮散器の容器本体の前面には、揮散用のスリットが開設されており、該スリットから薬剤を揮散できるように構成されている。
【特許文献１】意匠登録第１１５５７５５号公報
【特許文献２】意匠登録第１１５５７５６号公報
【発明の開示】
【発明が解決しようとする課題】
【０００４】
しかしながら、このような従来の薬剤揮散器にあっては、立てて使用した際に、スリットが設けたれた前面を下にして倒れることがある。
【０００５】
この場合、前記スリットが載置面によって塞がれてしまい、当該スリットから揮散された薬剤の濃度が高まる。すると、この高い濃度の薬剤によって前記載置面を傷める恐れがあった。
【０００６】
本発明は、このような従来の課題に鑑みてなされたものであり、倒れた場合に生じ得る不具合を防止することができる薬剤揮散器を提供することを目的とするものである。
【課題を解決するための手段】
【０００７】
前記課題を解決するために本発明の請求項１の薬剤揮散器にあっては、薬剤を揮散する開口部が本体の外側面に設けられた薬剤揮散器において、前記開口部が設けられた前記外側面に、当該外側面より突出する突出部を設けた。
【０００８】
すなわち、この薬剤揮散器を立てて使用した場合、薬剤を揮散する開口部を有する本体の外側面を下にして倒れることがある。
【０００９】
このとき、前記開口部が設けられた前記外側面には、当該外側面より突出する突出部が設けられている。このため、この突出部が先行して載置面に当接することによって、該載置面による前記開口部の閉鎖が防止される。
【００１０】
また、請求項２の薬剤揮散器においては、前記本体に前記開口部の少なくとも一部を覆うカバーを設け、該カバーで前記突出部を構成するとともに、前記カバーを前記本体の前記外側面より離間して配置し、前記カバーと前記外側面との間に間隙を確保した。
【００１１】
すなわち、本体の外側面に設けられた開口部は、前記突出部を構成するカバーによって覆われており、前記開口部は、前記カバーで少なくとも一部が隠蔽される。このため、外側面に大きな開口部を形成した場合であっても、当該開口部の全域に渡る露出が防止される。
【００１２】
また、この本体が前記外側面を下にして倒れた場合においては、薬剤を揮散する前記開口部と載置面との間に、前記カバーが配置される。
【００１３】
そして、このカバーは、前記外側面より離間して配置されており、前記カバーと前記外側面との間に間隙が確保されている。これにより、前記本体が前記外側面を下にして倒れた場合であっても、揮散した薬剤を放出する為の間隙が確保される。
【発明の効果】
【００１４】
以上説明したように本発明の請求項１の薬剤揮散器にあっては、使用時において開口部が設けられた本体の外側面を下にして倒れた場合、前記外側面より突出した突出部が先行して載置面に当接することによって、該載置面と前記外側面との密着状態を回避することができる。これにより、前記載置面による前記開口部の閉鎖を防止することができる。
【００１５】
このため、本体が倒れた際に、前記載置面で前記開口部が塞がれてしまう従来と比較して、前記開口部から揮散された薬剤の濃度が高まり、この高い濃度の薬剤によって前記載置面を傷めるといった不具合を未然に防止することができる。
【００１６】
また、請求項２の薬剤揮散器においては、本体の外側面に設けられた開口部は、前記突出部を構成するカバーによって覆われており、前記開口部は、前記カバーで隠蔽される。このため、外側面に大きな開口部を形成して揮散面積を増大した場合であっても、当該開口部の全域に渡る露出を防止することができ、外観品質を高めることができる。
【００１７】
さらに、この本体が前記外側面を下にして倒れた場合においては、薬剤を揮散する前記開口部と載置面との間に、前記カバーを配置することができる。これにより、揮散した薬剤と載置面との直接接触を防止することができる。
【００１８】
そして、このカバーは、前記外側面より離間して配置されており、前記カバーと前記外側面との間に間隙が確保されている。このため、前記本体が前記外側面を下にして倒れた場合であっても、揮散した薬剤を放出する為の間隙を確保することができ、薬剤揮散による効果を維持することができる。
【発明を実施するための最良の形態】
【００１９】
以下、本発明の一の実施の形態を図に従って説明する。図１は、本実施の形態にかかる薬剤揮散器１を示す図であり、該薬剤揮散器１は、消臭剤、芳香剤、防虫剤、殺虫剤等の薬剤を揮散する装置である。
【００２０】
この薬剤揮散器１は、揮散器本体１１と、該揮散器本体１１に交換可能に取り付けられる詰替容器１２とによって構成されている。
【００２１】
前記揮散器本体１１は、使用時に起立される起立部２１と、該起立部２１の下端部に取り付けられる基端構成部材２２とによって構成されている。前記起立部２１は、図２に示すように、縦長の長方形板状に形成されており、下端の中央部を除く周縁には、図３にも示すように、裏面側に延出するフランジ２３が形成されている。
【００２２】
前記起立部２１の外側面である前面２５には、図２及び図３に示したように、短辺方向に延在する複数の凹溝２６，・・・が上下に並設されており、中間領域Ｍに位置する各凹溝２６，・・・内には、裏面側に貫通する開口部としての外スリット２７，・・・が凹溝２６，・・・に沿って開設されている。また、前記中間領域Ｍには、前記各外スリット２７，・・・より大径楕円形状の大径開口部２８が開設されており、該大径開口部２８の外周縁部には、円形の取付穴２９，・・・が四カ所に形成されている。
【００２３】
この起立部２１の背面には、図３及び図４に示すように、上縁部及び側縁部に支持突起３１が設けられており、上縁に設けられたフランジ２３の内側面及び側縁に設けられたフランジ２３の内側面には、内方に突出する係止条３２，・・・が形成されている。前記下縁に形成された前記フランジ２３の端部には、上方に起立した起立壁３３，３３が一体形成されており、両起立壁３３，３３の中心側の側面には、前記起立壁３３，３３に沿って延在するＬ字リブ３４，３４が一体形成されている。
【００２４】
前記起立部２１に形成された前記取付穴２９，・・・には、図１に示したように、前記大径開口部２８を覆うカバー４１が取り付けられるように構成されている（図１中下部側の支持状態は省略）。
【００２５】
このカバー４１は、図５に示すように、前記大径開口部２８より大径の楕円形状に形成されており、中央部が外側に膨出したドーム型に形成されている。前記カバー４１の裏面には、当該カバー４１を支持する脚部４５，・・・が周縁部の四カ所に立設されており、各脚部４５，・・・の先端部には、小径部４６が形成されている。各小径部４６，・・・は、前記起立部２１の対応した取付穴２９，・・・に挿入された状態で固定されるように構成されている。
【００２６】
前記各脚部４５，・・・は、図１に示したように、前記取付穴２９に挿入して固定した状態で、前記カバー４１を前記起立部２１の前記前面２５より離間して配置できる長さ寸法に設定されており、前記カバー４１と前記前面２５との間に間隙５１を形成できるように構成されている。このカバー４１は、前記大径開口部２８が設けられた前記前面２５より突出した突出部を構成するように構成されている。
【００２７】
この起立部２１の下端部に取り付けられる前記基端構成部材２２は、図６にも示すように、矩形容器状に形成されており、この基端構成部材２２の側面前側には、内側に後退した後退面５５，５５が形成されている。これにより、当該基端構成部材２２の前部には、幅寸法の狭い幅狭部５６が形成されている。該幅狭部５６での幅寸法は、前記起立部２１のフランジ２３間の寸法より小さく設定されており、当該幅狭部５６に前記起立部２１の下端部を外嵌できるように構成されている。
【００２８】
前記後退面５５には、矩形状の切欠部６１が形成されており、前記基端構成部材２２の底面６２には、矩形状の挿通穴６３，６３が前方の両角部に開設されている。これにより、前記起立部に当該基端構成部材２２を取り付けた状態において、前記起立部２１に設けられた前記起立壁３３及び前記Ｌ字リブ３４を前記各挿通穴６３，６３に挿通できるように構成されている。
【００２９】
前記詰替容器１２は、図７に示すように、図外の薬剤を収容する容器本体７１を備えており、該容器本体７１は、図８及び図９に示すように、長方形状の底面７２と、該底面７２の周縁に起立した周壁７３とによって形成されている。該周壁７３の上縁には、側方に延出した側方フランジ部７４と、該側方フランジ部７４より下方に延出した延出部７５とが一体形成されており、下方に折り返した折返し部７６が形成されている。前記底面７２の裏面には、上方へ没入した凹部７７，７７が各短辺に沿って形成されており、当該底面７２の裏面には、前記短辺に沿った段差部７８，７８が形成されている。
【００３０】
また、前記底面７２には、図７に示したように、各短辺寄りの二カ所に各短辺に沿って延在する第１仕切壁８１及び第２仕切壁８２が立設されており、短辺側の周壁７３と前記第１仕切壁８１との間には、第１収容空間８３が形成されている。また、前記第１仕切壁８１と前記第２仕切壁８２との間には、第２収容空間８４が形成されており、前記第２仕切壁８２と前記短辺側の周壁７３との間には、第３収容空間８５が形成されている。
【００３１】
前記第１仕切壁８１は、図７において右寄りに配置されており、左端と前記周壁７３との間には、第１幅広連通路９１が形成されている。この第１仕切壁８１の右端と前記周壁７３との間には、前記第１幅広連通路９１より狭い第１幅狭連通路９２が形成されている。
【００３２】
前記第２仕切壁８２は、図７において左寄りに配置されており、右端と前記周壁７３との間には、第２幅広連通路９５が形成されている。この第２仕切壁８２の左端と前記周壁７３との間には、前記第２幅広連通路９５より狭い第２幅狭連通路９６が形成されている。
【００３３】
この容器本体７１の中央部に位置する前記両仕切壁８１，８２の部位には、図８及び図９に示すように、円柱状の支柱部１０１，１０１が一体形成されており、各支柱部１０１，１０１の先端には、小径の小径部１０２，１０２が形成されている。
【００３４】
前記周壁７３を形成する各辺には、図７から図８に示すように、内側に突出する支持リブ１０５，・・・が底面７２から開口部側へ向けて延設されており、前記周壁７３を形成する各辺の上縁部には、上縁に沿って延在する凸条１０６，・・・が形成されている。各凸条１０６，・・・は、前記各支持リブ１０５上端より高位置に設定されており、前記各支持リブ１０５，・・・から前記凸条１０６，・・・までの範囲内に、前記支柱部１０１の前記小径部１０２が配置されるように構成されている。
【００３５】
また、前記詰替容器１２は、図１０に示すように、前記容器本体７１の開口部を閉鎖する蓋部１１１を備えている。該蓋部１１１は、前記容器本体７１の開口部に内嵌する大きさの長方形板状に形成されており、その周縁には、上面側に突出する周縁フランジ１１２が全周に渡って形成されている。また、この蓋部１１１には、短辺方向に延在する内スリット１１３，・・・が複数並設されており、前記容器本体７１内に収容された粒状の薬剤の飛び出しを防止しつつ、揮発した薬剤を前記内スリット１１３，・・・及び前記起立部２１に設けられた外スリット２７，・・・及び大径開口部２８を介して外部へ放出できるように構成されている。
【００３６】
この蓋部１１１の裏面には、円筒部１２１，１２１が二カ所に突設されており、当該蓋部１１１を前記容器本体７１に取り付けた状態で、各円筒部１２１，１２１に前記容器本体７１に立設された前記支柱部１０１，１０１の前記小径部１０２，１０２を挿入した状態で固定できるように構成されている。
【００３７】
以上の構成にかかる本実施の形態において、この薬剤揮散器１を立てて使用した場合、薬剤を揮散する為の外スリット２７，・・・や大径開口部２８が設けられた揮散器本体１１の前面２５を下にして倒れることがある。
【００３８】
このとき、前記外スリット２７，・・・や大径開口部２８が設けられた前記前面２５には、当該前面２５より突出する突出部としてのカバー４１が設けられている。このため、当該薬剤揮散器１を載置した載置面に前記カバー４１が先行して当接することによって、当該載置面と前記前面２５との密着状態を回避することができる。これにより、前記載置面による前記外スリット２７，・・・や前記大径開口部２８の閉鎖を防止することができる。
【００３９】
したがって、揮散器本体１１が倒れた際に、前記載置面で薬剤揮散用の開口部が塞がれてしまう従来と比較して、前記外スリット２７，・・・や前記大径開口部２８から揮散された薬剤の濃度が高まり、この高い濃度の薬剤によって前記載置面を傷めるといった不具合を未然に防止することができる。
【００４０】
そして、本実施の形態では、前記揮散器本体１１の前面２５に設けられた前記大径開口部２８は、突出部を構成する前記カバー４１によって覆われており、前記大径開口部２８は、前記カバー４１で隠蔽されている。このため、前記前面２５に大きな前記大径開口部２８を形成して揮散面積を増大した場合であっても、当該大径開口部２８の露出を防止することができ、外観品質を高めることができる。
【００４１】
さらに、この揮散器本体１１が前記前面２５を下にして倒れた場合においては、薬剤を揮散する前記大径開口部２８と載置面との間に、前記カバー４１を配置することができる。これにより、揮散した薬剤と載置面との直接接触を防止することができる。
【００４２】
そして、このカバー４１は、前記前面２５より離間して配置されており、前記カバー４１と前記前面２５との間に間隙５１が確保されている。このため、前記揮散器本体１１が前記前面２５を下にして倒れた場合であっても、揮散した薬剤を放出する為の間隙５１を確保することができ、薬剤揮散による効果を維持することができる。
【００４３】
なお、本実施の形態にあっては、前記起立部２１の前面２５にカバー４１を設けて本発明の突出部を形成した場合に付いて説明したが、これに限定されるものでは無く、図１１に示すように、複数の外スリット２７が設けられた起立部２１の前面２５に円柱部１５１，・・・を設けて本発明の突出部を構成しても良い。
【００４４】
この図１１では、大径開口部２８を廃止してデザイン性を高めたものを示したが、これに限定されるものでは無く、前述の実施の形態と同様に、前記大径開口部２８を形成しても良い。
【図面の簡単な説明】
【００４５】
【図１】本発明の一実施の形態を示す断面図である。
【図２】同実施の形態の起立部を示す正面図である。
【図３】図２のＡ−Ａ線に沿った断面図である。
【図４】同実施の形態の起立部を示す背面図である。
【図５】同実施の形態のカバーを示す図で、（ａ）はカバーの背面図であり、（ｂ）は同図（ａ）のＢ−Ｂ線に沿った断面図である。
【図６】同実施の形態の基端構成部材を示す図で、（ａ）は基端構成部材の平面図であり、（ｂ）は基端構成部材の側面図である。
【図７】同実施の形態の容器本体を示す平面図である。
【図８】同実施の形態の容器本体の側面を示す一部断面図である。
【図９】同実施の形態の容器本体の正面を示す一部断面図である。
【図１０】同実施の形態の蓋部を示す図で、（ａ）は蓋部の平面図であり、（ｂ）は蓋部の側面を示す一部断面図である。
【図１１】本発明の他の実施の形態を示す図である。
【符号の説明】
【００４６】
１    薬剤揮散器
１１    揮散器本体
２５    前面
２７    外スリット
２８    大径開口部
４１    カバー
４５    脚部
５１    間隙
７１    容器本体
１５１    円柱部
【図１】
2007006959.tif 000003
【図２】
2007006959.tif 000004
【図３】
2007006959.tif 000005
【図４】
2007006959.tif 000006
【図５】
2007006959.tif 000007
【図６】
2007006959.tif 000008
【図７】
2007006959.tif 000009
【図８】
2007006959.tif 000010
【図９】
2007006959.tif 000011
【図１０】
2007006959.tif 000012
【図１１】
2007006959.tif 000013